(57)【要約】【課題】墓の内部に含まれる水が冬季に凍結し、膨張することに起因する墓の劣化を防止する。【解決手段】石材１４ａ〜１４ｄは、基礎コンクリート部１１の上に位置し、墓石外柵を構成する。緩衝部１６は、石材１４ａ〜１４ｄとコンクリート部１７の間に位置し、石材１４ａ〜１４ｄとコンクリート部１７に接触している。緩衝部１６は、石材１４ａ〜１４ｄとコンクリート部１７の間の隙間に入り込んだ水や、一部が砂状化した下部モルタル１５や敷きモルタル１８に含まれる水等が凍結し、膨張したとき、その膨張により発生する圧力を吸収し、石材１４ａ〜１４ｄの割れや押し出し、コーキング材３３の浮きや剥れなどを防止する。【選択図】図２
2011184858.tif 000002
【特許請求の範囲】
【請求項１】
空洞の納骨部を有するコンクリート部と、
前記コンクリート部の周囲を囲む墓石外柵を構成する石材と、
前記コンクリート部と前記石材との間に位置し、前記コンクリート部と前記石材との間に働く力を吸収する緩衝部と、
を備えることを特徴とする墓。
【請求項２】
前記コンクリート部と前記石材と前記緩衝部との下に位置し、水を排出するための１つ以上の排水部を含む基礎コンクリート部を備えることを特徴とする請求項１に記載の墓。
【請求項３】
前記緩衝部が、波板緩衝材及び／又は中空構造緩衝材を含むことを特徴とする請求項１又は２に記載の墓。
【請求項４】
前記緩衝部が、発泡緩衝材を含むことを特徴とする請求項１又は２に記載の墓。
【請求項５】
凍結深度を超える深さまで敷地を掘って、外枠用の型枠と、当該外枠用の型枠の中に位置する１つ以上の排水部用の型枠とを設置し、当該外枠用の型枠に生コンクリートを流し込み、１つ以上の排水部を有する基礎コンクリート部を形成する基礎コンクリート部形成工程と、
前記基礎コンクリート部のコンクリートが固まった後、前記外枠用の型枠と前記１つ以上の排水部用の型枠を外し、前記基礎コンクリート部の上部の面にモルタルを敷いて下部モルタルを形成し、墓石外柵を構成する石材を当該下部モルタルの上に設置して当該墓石外柵を構成する石材を固定する墓石外柵設置工程と、
前記墓石外柵を構成する石材に内接するように緩衝部を設置する緩衝部設置工程と、
前記墓石外柵を構成する石材の内側に納骨部を形成するための型枠を設置し、前記緩衝部設置工程により設置された緩衝部と当該納骨部を形成するための型枠の間に生コンクリートを流し込み、空洞の納骨部を有するコンクリート部を形成するコンクリート部形成工程と、
前記コンクリート部のコンクリートが固まった後、前記納骨部を形成するための型枠を外し、前記コンクリート部の上にモルタルを敷いて敷きモルタルを形成し、当該敷きモルタルに、納骨部に通じる穴を生じるように敷石を貼り付ける敷石貼付工程と、
前記敷石の上に墓石本体を設置する墓石本体設置工程と、
を備えることを特徴とする墓施工方法。
【発明の詳細な説明】
【技術分野】
【０００１】
本発明は、寒冷地に建立される墓およびその墓の施工方法に関する。
【背景技術】
【０００２】
寒冷地に墓を建立する場合、凍上を防ぐため、凍結深度を超える深さまで基礎コンクリートを作ることが重要である。
このため、基礎工事では、凍結深度を超える深さまで敷地を掘る。掘った穴に玉石、砂利などを入れて転圧し、基礎コンクリート用型枠を設置する。そして、基礎コンクリート用型枠に生コンクリートを流し込み、基礎コンクリートを作る。その際、基礎コンクリートの一部に、空洞の納骨下部を設ける。なお、納骨下部は納骨部の下側半分を構成する。
【０００３】
基礎コンクリートが固まった後、まず、墓石外柵を構成する複数の石材を基礎コンクリートの上に配置する。そして、基礎コンクリートと石材の間の目地にセメントと砂を混ぜ合わせたモルタルを詰めて下部モルタルを作り、石材を基礎コンクリート上に固定する。更に、石材のつなぎ目を接着剤や接着性のコーキング材などで接着するか、あるいは石材間に補強金具などを取り付けることにより、石材間を固定する。
【０００４】
次に、納骨上部用型枠を設置し、墓石外柵を構成する石材と納骨上部用型枠の間に生コンクリートを流し込む。または、石材と納骨上部用型枠の間に玉石、砂利などを入れた後に生コンクリートを流し込む。納骨上部と納骨下部は、空洞の納骨部を構成する。
コンクリートが固まった後、納骨上部用型枠を外し、コンクリートの上にモルタルを敷いて敷きモルタルを作る。そして、軽くたたきながら敷きモルタルに敷石を貼り付ける。敷石の間や敷石と石材の間の目地にコーキング材などを充填する。最後に、墓石本体を設置する。
この施工方法は、基礎工事を除き、関東、関西の施工方法を手本としている。
【発明の開示】
【発明が解決しようとする課題】
【０００５】
上述した施工方法で作られた墓は、外側からの力に対しては強いが、墓の内部に入り込んだ水の凍結等により生じる内側からの力に対しては弱い。
上述した施工方法では、目地をコーキング材などで充填して雨水などの浸入を防ぐが、コーキング材の耐用年数は１０年から１５年である。また、どのような施工をしても石材とコーキング材の間から水がしみ込み墓の内部に水が入ることは防げない。下部モルタルと敷きモルタルは水を含みやすく凍害によりそれらの一部が砂状化しやすい。
【０００６】
コンクリートと墓石外柵を構成する石材の間の隙間に入り込んだ水や、下部モルタルや敷きモルタルの水を含んだ砂状化部分等は冬季に凍結融解を繰り返し、凍結時に体積が膨張する。これにより石材の割れや押し出し、コーキング材の浮きや剥れなどの劣化を生じる。更に、石材の間の接着や補強金具が強力なときは石材が割れる場合すらある。
【０００７】
本発明は、上記実情を鑑みて行われたものであり、墓の内部に入り込んだ水が冬季に凍結し、その体積が膨張することに起因する劣化を防止することができる墓および墓施工方法を提供することを目的とする。
【課題を解決するための手段】
【０００８】
上記目的を達成するために、本発明の墓は、
空洞の納骨部を有するコンクリート部と、
前記コンクリート部の周囲を囲む墓石外柵を構成する石材と、
前記コンクリート部と前記石材との間に位置し、前記コンクリート部と前記石材との間に働く力を吸収する緩衝部と、
を備えることを特徴とする。
【０００９】
好ましくは、本発明の墓は、前記コンクリート部と前記石材と前記緩衝部との下に位置し、水を排出するための１つ以上の排水部を含む基礎コンクリート部を備えることを特徴とする。
【００１０】
好ましくは、本発明の墓は、前記緩衝部が、波板緩衝材及び／又は中空構造緩衝材を含むことを特徴とする。
【００１１】
好ましくは、本発明の墓は、前記緩衝部が、発泡緩衝材を含むことを特徴とする。
【００１２】
好ましくは、本発明の墓施工方法は、
凍結深度を超える深さまで敷地を掘って、外枠用の型枠と、当該外枠用の型枠の中に位置する１つ以上の排水部用の型枠とを設置し、当該外枠用の型枠に生コンクリートを流し込み、１つ以上の排水部を有する基礎コンクリート部を形成する基礎コンクリート部形成工程と、
前記基礎コンクリート部のコンクリートが固まった後、前記外枠用の型枠と前記１つ以上の排水部用の型枠を外し、前記基礎コンクリート部の上部の面にモルタルを敷いて下部モルタルを形成し、墓石外柵を構成する石材を当該下部モルタルの上に設置して当該墓石外柵を構成する石材を固定する墓石外柵設置工程と、
前記墓石外柵を構成する石材に内接するように緩衝部を設置する緩衝部設置工程と、
前記墓石外柵を構成する石材の内側に納骨部を形成するための型枠を設置し、前記緩衝部設置工程により設置された緩衝部と当該納骨部を形成するための型枠の間に生コンクリートを流し込み、空洞の納骨部を有するコンクリート部を形成するコンクリート部形成工程と、
前記コンクリート部のコンクリートが固まった後、前記納骨部を形成するための型枠を外し、前記コンクリート部の上にモルタルを敷いて敷きモルタルを形成し、当該敷きモルタルに、納骨部に通じる穴を生じるように敷石を貼り付ける敷石貼付工程と、
前記敷石の上に墓石本体を設置する墓石本体設置工程と、
を備えることを特徴とする。
【発明の効果】
【００１３】
本発明によれば、墓の内部に入り込んだ水が冬季に凍結し、その体積が膨張することに起因する墓の劣化を防止することができる。
【図面の簡単な説明】
【００１４】
【図１】基礎コンクリートと石材の一部の断面を含む本発明の実施形態に係る墓の斜視図である。
【図２】図１のＡ−Ａ線断面を含む墓の斜視図である。
【図３】図１のＡ−Ａ線断面図である。
【図４】排水部の位置を示す図である。
【図５】本発明の実施形態に係る墓の施工工程を説明するための図である。
【図６】図５に続く施工工程を説明するための図である。
【図７】図６に続く施工工程を説明するための図である。
【発明を実施するための形態】
【００１５】
以下、本発明の実施形態に係る墓について図面を参照しながら説明する。
【００１６】
本発明の実施形態に係る墓１０は、図１〜図３に示すように、基礎コンクリート部１１と、排水部１２と、納骨部１３と、石材１４ａと、石材１４ｂと、石材１４ｃと、石材１４ｄと、下部モルタル１５と、緩衝部１６と、コンクリート部１７と、敷きモルタル１８と、敷石１９と、墓石本体２０と、香炉２１とを備えている。
基礎コンクリート部１１は、冬季に地面が凍る凍結深度を超える深さまで掘られた穴の中に作られる。基礎コンクリート部１１は、１つ以上の排水部１２と納骨下部１３ａとを有する。排水部１２は、図４に示すように、例えば、石材１４ａ〜１４ｄとコンクリート部１７の境界に設けられる。排水部１２は、墓１０の内部に流れ込んだ雨水等の墓の各部に溜まった水を地面に排出する。納骨下部１３ａは、基礎コンクリート部１１の一部に開いた穴であり、空洞の納骨部１３の下側半分を構成する。
【００１７】
石材１４ａ〜１４ｄは、基礎コンクリート部１１の上に位置し、墓石外柵を構成する。石材１４ａ〜１４ｄは、セメントと砂を混ぜ合わせたモルタルなどで構成される下部モルタル１５により、基礎コンクリート部１１上に固定される。更に、各石材１４ａ〜１４ｄのつなぎ目を接着剤３１や接着性のコーキング材などで接着するか、あるいは各石材１４ａ〜１４ｄの間に補強金具などを取り付けることにより、各石材１４ａ〜１４ｄの間が固定される。
【００１８】
緩衝部１６は、石材１４ａ〜１４ｄとコンクリート部１７の間に位置し、石材１４ａ〜１４ｄとコンクリート部１７に接触している。緩衝部１６は、コンクリート部１７と石材１４ａ〜１４ｄの間の隙間に入り込んだ水等に含まれている水分が凍結し、その体積が膨張したとき、その膨張により発生する圧力を吸収し、その圧力が石材１４ａ〜１４ｄに伝わることを防ぐ。
緩衝部１６は、例えば、発泡緩衝材、気泡緩衝材、波板緩衝材、中空構造緩衝材等のシートで構成される。
発泡緩衝材等のシートは、両面テープ３２や接着剤などを用いて石材１４ａ〜１４ｄに固定される。
【００１９】
緩衝部１６を設けることにより、石材１４ａ〜１４ｄとコンクリート部１７の間に排水部１２まで達する隙間が生じる。墓の内部にしみ込んだ水は、この隙間を通って排水部１２に導かれ、地面に排出される。
【００２０】
発泡緩衝材として、例えば、発泡ポリエチレンフォームやゴムスポンジを用いることができる。気泡緩衝材として、例えば、プチプチ（登録商標）を用いることができる。波板緩衝材として、例えば、塩ビ波板、ポリカーボネード製の波板を用いることができる。中空構造緩衝材として、例えば、中空ポリカーボネードシートを用いることができる。
なお、厚めの両面テープ３２を用いて発泡緩衝材等のシートを石材１４ａ〜１４ｄに貼り付けることにより、緩衝部１６の隙間が大きくなり、墓１０の内部にしみ込んだ水を排水しやすくなる。
また、発泡緩衝材のシートを用いることにより、緩衝部１６に断熱材としての効果を付与することができ、墓１０の内部における水分の凍結を緩和することができる。
また、波板緩衝材や中空構造緩衝材のシートを用いることにより、波板緩衝材の凹部や中空構造緩衝材の中空部を通って水が流れるように緩衝部１６を構成することができる。
【００２１】
コンクリート部１７は、緩衝部１６に内接し、石材１４ａ〜１４ｄよりもわずかに低い。コンクリート部１７は、納骨上部１３ｂを有する。納骨上部１３ｂは、納骨下部１３ａとともに、空洞の納骨部１３を構成する。納骨部１３には、バラにしたお骨やお骨の入った骨壷等が墓１０の完成後に入れられる。
【００２２】
敷きモルタル１８は、モルタル等で構成され、コンクリート部１７の上に敷かれる。敷石１９は、敷きモルタル１８の上に貼り付けられる。墓石本体２０と香炉２１は、敷石１９に接して納骨部１３の上に設置される。石材１４ａ〜１４ｄと敷石１９の上面の高さはほぼ同じである。
なお、敷石１９は、納骨部１３に対応する位置に穴が開くように設置される。墓が完成した後、後日墓にお骨や骨壷等を入れる場合には、香炉２１を取り外し、墓石本体２０の納骨口または敷石１９の納骨口からお骨や骨壷等を入れる。
【００２３】
敷石１９の間や敷石１９と石材１４ａ〜１４ｄの間の目地にはコーキング材３３などが充填される。ただし、これらの目地は狭いため、コーキング材３３を緩衝部１６まで充填することは困難である。そこで、コーキング効果を確実にするため、バックアップ材３４を目地に詰めた後、コーキング材３３が充填される。なお、バックアップ材３４として、例えば、ポリエチレンを材料とする屈曲自在で紐状のものを使用することができる。
コーキング材３３とバックアップ材３４には弾力がある。このため、水の凍結によって生じる圧力はコーキング材３３とバックアップ材３４でも吸収される。
【００２４】
次に、図５〜図７を参照しながら本発明の実施形態に係る墓１０の施工工程を説明する。
墓１０を施工するとき、先ず、基礎工事を行う。基礎工事では、凍結深度を超える深さまで敷地を掘る。そして、掘った穴に玉石、砂利などを入れて転圧し、図５に示すように外枠用型枠３５ａと、納骨下部用型枠３５ｂと、１つ以上の排水部用型枠３５ｃを設置する。ここで、外枠用型枠３５ａは基礎コンクリート部１１の外枠用の型枠である。納骨下部用型枠３５ｂは納骨下部１３ａ用の型枠である。また、１つ以上の排水部用型枠３５ｃは排水部１２用の型枠である。
外枠用型枠３５ａに生コンクリートを流し込み、納骨下部１３ａと１つ以上の排水部１２を有する基礎コンクリート部１１を作る。
【００２５】
基礎コンクリート部１１のコンクリートが固まった後、外枠用型枠３５ａと、納骨下部用型枠３５ｂと、排水部用型枠３５ｃを外し、少なくとも石材１４ａ〜１４ｄが設置される部分にモルタルを塗り、下部モルタル１５を構成する。
そして、図６に示すように、下部モルタル１５の上に石材１４ａ〜１４ｄを設置する。更に、石材１４ａ〜１４ｄのつなぎ目を接着剤３１や接着性のコーキング材などで接着するか、あるいは石材間に補強金具などを取り付けることにより、石材１４ａ〜１４ｄ間を固定する。
次に、緩衝部１６（発泡緩衝材等のシート）を、厚めの両面テープ３２等で石材１４ａ〜１４ｄに貼り付けて固定する。厚めの両面テープ３２等で発泡緩衝材等のシートを石材１４ａ〜１４ｄに貼り付けることにより、石材１４ａ〜１４ｄとコンクリート部１７の間に排水部１２まで達する隙間が生じる。
【００２６】
そして、図７に示すように、納骨上部用型枠３６を設置し、緩衝部１６（石材１４ａ〜１４ｄ）と納骨上部用型枠３６の間に生コンクリートを流し込む。または、玉石、砂利などを入れた後に緩衝部１６（石材１４ａ〜１４ｄ）と納骨上部用型枠３６の間に生コンクリートを流し込む。コンクリートが固まると、納骨上部１３ｂを有するコンクリート部１７が形成される。納骨上部１３ａと納骨下部１３ｂは、空洞の納骨部１３を構成する。
【００２７】
コンクリート部１７のコンクリートが固まった後、納骨上部用型枠３６を外し、コンクリート部１７の上にモルタルを敷き、敷きモルタル１８を構成する。そして、軽くたたきながら敷きモルタル１８に敷石１９を貼り付ける。なお、敷石１９は納骨部１３に通じる穴を生じるように貼り付けられる。
敷石１９の間や敷石１９と石材１４ａ〜１４ｄの間の隙間、目地部分に屈曲自在で紐状のバックアップ材３４を詰め、これらの隙間や目地にコーキング材３３などを充填する。
最後に、敷石１９の上に納骨部１３に通じる穴を塞ぐように墓石本体２０と香炉２１を設置し、図１に示す墓１０が完成する。
【００２８】
なお、上記実施形態では、図１等で納骨下部１３ａと納骨上部１３ｂがそれぞれ基礎コンクリート部１１とコンクリート部１７の中央に位置するように図示したが、納骨下部１３ａと納骨上部１３ｂは連結して納骨部１３を構成できればよく、基礎コンクリート部１１とコンクリート部１７の中央に位置する必要はない。
また、上記実施形態では、納骨下部１３ａは地面まで達しているとしたが、納骨下部１３ａは地面まで達しておらず、基礎コンクリート部１１に底を有していてもよい。
また、基礎コンクリート部１１は納骨下部１３ａを含まず、納骨部１３は納骨上部１３ｂのみで構成されていてもよい。
【００２９】
また、上記実施形態では、基礎工事のとき、納骨下部１３ａ用の納骨下部用型枠３５ｂを設置して納骨下部１３ａを作成し、コンクリート部１７を作るとき、納骨上部用型枠３６を設置して納骨上部１３ｂを作成するとしたが、基礎工事のとき、納骨下部１３ａと納骨上部１３ｂを作成するための型枠を設置し、コンクリート部１７を作った後、その型枠を外してもよい。
【００３０】
以上説明したように、本発明によれば、墓の内部に入り込んだ水が冬季に凍結し、その体積が膨張することに起因する墓の劣化を防止することができる。
すなわち、石材１４ａ〜１４ｄとコンクリート部１７の間の隙間に入り込んだ水や、砂状化した下部モルタル１５や敷きモルタル１８に含まれる水等の凍結・膨張により発生する圧力を緩衝部１６が吸収するため、石材１４ａ〜１４ｄの割れや押し出し、コーキング材３３の浮きや剥れなどを防止することができる。
【００３１】
また、石材１４ａ〜１４ｄのつなぎ目や目地部分から墓１０の内部にしみ込んだ水は、緩衝部１６により生じた隙間を通って排水部１２に導かれ、地面に排出される。このため、墓１０の内部に保持される水が減少する。これにより、冬期における水の凍結に起因して石材１４ａ〜１４ｄを押し出したり、コーキング材３３を浮かせたりする圧力が弱まる。
更に、墓１０の内部に保持される水が減少するので、石材１４ａ〜１４ｄ等の隙間から染み出す水も減少する。
【００３２】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれると理解されるべきである。
【符号の説明】
【００３３】
１０…墓、１１…基礎コンクリート部、１２…排水部、１３…納骨部、１３ａ…納骨下部、１３ｂ…納骨上部、１４ａ、１４ｂ、１４ｃ、１４ｄ…石材、１５…下部モルタル、１６…緩衝部、１７…コンクリート部、１８…敷きモルタル、１９…敷石、２０…墓石本体、２１…香炉、３１…接着剤、３２…両面テープ、３３…コーキング材、３４…バックアップ材、３５ａ…外枠用型枠、３５ｂ…納骨下部用型枠、３５ｃ…排水部用型枠、３６…納骨上部用型枠
【図１】
2011184858.tif 000003
【図２】
2011184858.tif 000004
【図３】
2011184858.tif 000005
【図４】
2011184858.tif 000006
【図５】
2011184858.tif 000007
【図６】
2011184858.tif 000008
【図７】
2011184858.tif 000009